(57)【特許請求の範囲】
【請求項１】
フランジが水平になるように設置されたＨ型鋼に対し、ボルトを用いてウェブに固定されるデッキ受け治具であって、
前記ウェブに固定されるアングル材と、
このアングル材が第１の端部に取り付けられた第１の角筒体と、
互いの上面が平行となるように前記第１の角筒体に外挿された第２の角筒体と、
第２の角筒体上面に平坦部の下面が接合された受け金具と、を備え、
前記アングル材は、
前記ボルトが挿通される取付用ボルト穴を有するとともに前記第１の角筒体の長手方向と直交するように前記第１の端部に接合された垂直片と、
第１の角筒体上面に下面が接合された水平片と、
からなることを特徴とするデッキ受け治具。
【請求項２】
第２の角筒体下面に設けられた第１のボルト穴に挿通される高さ調整用ボルトを備え、
第１の角筒体下面には、
前記高さ調整用ボルトが螺入される第１の雌ネジ部が前記第１のボルト穴に連通するように設けられ、
所定の高さを有する空間が前記第１の角筒体下面と前記第２の角筒体下面の間に形成されたことを特徴とする請求項１に記載のデッキ受け治具。
【請求項３】
前記第２の角筒体下面には、
前記第１のボルト穴の代わりに、所定の長さを有するガイド用隙間が前記高さ調整用ボルトを前記第２の角筒体の長手方向へ案内可能に設けられたことを特徴とする請求項２に記載のデッキ受け治具。
【請求項４】
第２の角筒体下面に設けられた第２の雌ネジ部に螺入される高さ調整用ボルトを備え、
第１の角筒体下面には、
前記高さ調整用ボルトが挿通される第２のボルト穴が前記第２の雌ネジ部に連通するように設けられ、
所定の高さを有する空間が前記第１の角筒体下面と前記第２の角筒体下面の間に形成され、
前記高さ調整用ボルトには、
前記第２のボルト穴から突出した先端に抜け止め部材が取り付けられたことを特徴とする請求項１に記載のデッキ受け治具。
【請求項５】
前記第１の角筒体下面には、前記第２のボルト穴の代わりに、所定の長さを有するガイド用隙間が、前記抜け止め部材を縁部に係止させつつ、前記高さ調整用ボルトを前記第１の角筒体の前記長手方向へ案内可能に設けられたことを特徴とする請求項４に記載のデッキ受け治具。
【請求項６】
前記第１の角筒体の内部を仕切るように前記第１の角筒体下面に対して平行に設置された仕切板と、
前記高さ調整用ボルトの前記先端が回動可能かつ離脱不能に連結された板状の摺動部材と、を備え、
前記第１の角筒体下面と前記仕切板の間に前記摺動部材が設置されたことを特徴とする請求項５に記載のデッキ受け治具。
【請求項７】
前記第２の角筒体の側面に設けられた第３の雌ネジ部に螺合する固定用ボルトを備え、
この固定用ボルトは、前記第２の角筒体の内部へ突出させた先端によって前記第１の角筒体の側面を押圧可能に前記第３の雌ネジ部に螺入されたことを特徴とする請求項１乃至請求項６のいずれか１項に記載のデッキ受け治具。
【請求項８】
前記受け金具は、
平面視矩形状をなす前記平坦部と、
この平坦部の一端から直角に延設される直立部と、
からなることを特徴とする請求項１乃至請求項７のいずれか１項に記載のデッキ受け治具。
【発明の詳細な説明】
【技術分野】
【０００１】
本発明は、Ｈ型鋼を構造材料とする建築物において、床や天井等にコンクリートスラブを形成する際に型枠として用いられるデッキプレートを支持する治具に係り、特に、再利用のためにデッキプレートを容易にコンクリートスラブから分離して回収することが可能なデッキ受け治具に関する。
【背景技術】
【０００２】
鉄筋コンクリートや鉄骨鉄筋コンクリートを構造材料とする建築物では、コンクリートスラブを形成する際の型枠として、鋼製の板材を加工したデッキプレートが用いられることがある。このデッキプレートは、従来、梁の上面に溶接やボルト締め等によって固定されていたが、このような方法では、コンクリートが固化すると、デッキプレートがスラブに埋設されてしまうため、回収できなくなるという問題があった。
【０００３】
ここで、デッキプレートの構造について図９を用いて説明する。図９（ａ）はデッキプレートの側面図であり、図９（ｂ）及び図９（ｃ）は図９（ａ）に示したデッキプレートを構成する２種類の型枠部材の平面図である。
なお、図９（ｂ）及び図９（ｃ）は図９（ａ）において矢印Ｙで示す方向に見たデッキプレートを２つの型枠部材に分解した状態を示す図に相当する。
【０００４】
図９（ａ）乃至図９（ｃ）に示すように、デッキプレート５１は、コンクリートを打設する際に上面５４ａ，５５ａが成型面となる平板５４，５５と、この平板５４，５５の下面５４ｂ，５５ｂに溶接や接着あるいはリベットやビスによって固定される角パイプ５６，５７によって構成される厚さ０．８ｍｍ程度の鋼板製の型枠部材５２，５３からなる。
角パイプ５６，５７はいずれも一端が扁平状に押圧変形されており、この端部（以下、扁平端５６ｂ，５７ｂという。）を閉塞するように鋼板製の長尺部材（図示せず）がその内部に挿設されている。そして、角パイプ５６の外径は角パイプ５７の内径よりも小さく、開口端５６ａは開口端５７ａに対して挿通可能に形成されている。
【０００５】
角パイプ５６の上面は平板５４に対し、長手方向の中央付近と扁平端５６ｂの近傍の２か所がスポット溶接されており、角パイプ５７の上面は平板５５に対し、長手方向の中央付近と両端近傍の３か所がスポット溶接されている。これにより、型枠部材５２は、型枠部材５３の角パイプ５７の内部に角パイプ５６を挿通するようにして、平板５４の下面５４ｂと角パイプ５６の上面の間に、平板５５を所定の長さだけ挿入可能となっている。
【０００６】
なお、平板５４，５５は厚さが０．８ｍｍ程度と薄いため、平板５４の下面５４ｂと角パイプ５６の上面の間に平板５５を挿入して平板５４，５５の一部を重ね合わせた後、上面５４ａ，５５ａにコンクリートを打設した場合でも、平板５４の下面５４ｂと平板５５の上面５５ａの間にコンクリートが入り込むおそれはない。
【０００７】
このように、デッキプレート５１は、角パイプ５６の開口端５６ａを角パイプ５７の開口端５７ａの内部に挿入するようにして型枠部材５２を型枠部材５３に連結し、図９（ａ）に矢印Ｘで示すように型枠部材５２，５３を互いにスライドさせることで、全長が容易に変化する構造となっている。したがって、デッキプレート５１は、コンクリートスラブから回収した後の利用範囲が広く、再利用に適している。
【０００８】
デッキプレートを支持する方法やそれに用いる治具については、従来、多くの発明や考案がなされている。例えば、特許文献１には、「梁貫通型鉄骨架構システム」という名称で、複数階の建築物を築造する際に用いられる鉄骨架構システムに関する発明が開示されている。そして、その明細書や図面には、貫通梁や小梁にボルト・ナットで固着された受けアングルによってデッキプレートが支持された構造が開示されている。
【０００９】
また、特許文献２には、「鉄骨・鉄筋コンクリート構造を有する高層建築構造物の施工方法」という名称で、鉄骨・鉄筋コンクリート複合構造を用いてコアとその周囲に住居空間が備わった高層建築構造物を施工する方法に関する発明が開示されている。
そして、その明細書や図面には、ガーダーに溶接やボルトによって結合される連結材と、この連結材の端部に溶接またはボルトによって結合されて断面視Ｌ字状をなす支持材からなるサブ連結部材によってデッキプレートが支持された構造が開示されている。
【先行技術文献】
【特許文献】
【００１０】
【特許文献１】特開平１０−４６６６４号公報
【特許文献２】特許第４２９１７００号公報
【発明の概要】
【発明が解決しようとする課題】
【００１１】
特許文献１に開示された発明においては、受けアングルの上面でコンクリートスラブの一部が形成される構造であり、コンクリートスラブが固化した時点で受けアングルをＨ型鋼から撤去可能となっていないため、コンクリートスラブの施工後にデッキプレートを回収することは困難と考えられる。
【００１２】
特許文献２に開示された発明では、デッキプレートを支持する連結材と支持材がコンクリートスラブに埋設される構造となっている。したがって、特許文献１に開示された発明と同様に、コンクリートスラブの施工後にデッキプレートを回収することは容易でないものと考えられる。
【００１３】
本発明は、このような従来の事情に対処してなされたものであり、デッキプレートを容易にコンクリートスラブから分離・回収して再利用することが可能なデッキ受け治具を提供することを目的とする。
【課題を解決するための手段】
【００１４】
上記目的を達成するため、第１の発明は、フランジが水平になるように設置されたＨ型鋼に対し、ボルトを用いてウェブに固定されるデッキ受け治具であって、ウェブに固定されるアングル材と、このアングル材が第１の端部に取り付けられた第１の角筒体と、互いの上面が平行となるように第１の角筒体に外挿された第２の角筒体と、第２の角筒体上面に平坦部の下面が接合された受け金具と、を備え、アングル材は、ボルトが挿通される取付用ボルト穴を有するとともに第１の角筒体の長手方向と直交するように第１の端部に接合された垂直片と、第１の角筒体上面に下面が接合された水平片と、からなることを特徴とするものである。
【００１５】
上記構造のデッキ受け治具においては、ボルトを用いてアングル材がウェブに固定される構造であるため、Ｈ型鋼に対する取り付けや取り外しが容易である。なお、このとき、アングル材は、横方向や上下方向への第１の角筒体の揺動を抑える補強部材として機能する。
また、Ｈ型鋼へアングル材を取り付ける際に水平片が水平となるように垂直片をウェブに固定すると、第１の角筒体上面と第２の角筒体上面が水平となり、第２の角筒体上面に下面が接合された受け金具の平坦部の上面が水平になるという作用を有する。
そして、第１の角筒体の長手方向に沿って第２の角筒体をスライドさせると、平坦部の上面の水平状態が維持されたまま、受け金具が第１の角筒体の長手方向へ移動するという作用を有する。
【００１６】
また、第２の発明は、第１の発明において、第２の角筒体下面に設けられた第１のボルト穴に挿通される高さ調整用ボルトを備え、第１の角筒体下面には、高さ調整用ボルトが螺入される第１の雌ネジ部が第１のボルト穴に連通するように設けられ、所定の高さを有する空間が第１の角筒体下面と第２の角筒体下面の間に形成されたことを特徴とするものである。
このような構造のデッキ受け治具においては、第１の角筒体の長手方向に対する第２の角筒体の移動は拘束されるものの、高さ調整用ボルトを回動させることにより、受け金具が第２の角筒体とともに上下方向へ移動するという作用を有する。
【００１７】
第３の発明は、第２の発明において、第２の角筒体下面には、第１のボルト穴の代わりに、所定の長さを有するガイド用隙間が高さ調整用ボルトを第２の角筒体の長手方向へ案内可能に設けられたことを特徴とするものである。
上記構造のデッキ受け治具においては、第２の発明の作用に加えて、第１の角筒体の長手方向に沿って第２の角筒体をスライドさせると、平坦部の上面の水平状態が維持されたまま、受け金具が第１の角筒体の長手方向へ移動するという第１の発明と同様の作用を有する。
【００１８】
第４の発明は、第１の発明において、第２の角筒体下面に設けられた第２の雌ネジ部に螺入される高さ調整用ボルトを備え、第１の角筒体下面には、高さ調整用ボルトが挿通される第２のボルト穴が第２の雌ネジ部に連通するように設けられ、所定の高さを有する空間が第１の角筒体下面と前記第２の角筒体下面の間に形成され、高さ調整用ボルトには、第２のボルト穴から突出した先端に抜け止め部材が取り付けられたことを特徴とするものである。
上記構造のデッキ受け治具においては、第１の角筒体の長手方向に対する第１の角筒体の移動が拘束されるものの、高さ調整用ボルトを回動させることにより、受け金具が第２の角筒体とともに上下方向へ移動するという作用を有する。
【００１９】
第５の発明は、第４の発明において、第１の角筒体下面には、第２のボルト穴の代わりに、所定の長さを有するガイド用隙間が、抜け止め部材を縁部に係止させつつ、高さ調整用ボルトを第１の角筒体の長手方向へ案内可能に設けられたことを特徴とするものである。
上記構造のデッキ受け治具では、第４の発明の作用に加えて、第１の角筒体の長手方向に沿って第２の角筒体をスライドさせると、平坦部の上面の水平状態が維持されたまま、受け金具が第１の角筒体の長手方向へ移動するという第１の発明と同様の作用を有する。
【００２０】
第６の発明は、第５の発明において、第１の角筒体の内部を仕切るように第１の角筒体下面に対して平行に設置された仕切板と、高さ調整用ボルトの先端が回動可能かつ離脱不能に連結された板状の摺動部材と、を備え、第１の角筒体下面と仕切板の間に摺動部材が設置されたことを特徴とするものである。
このような構造のデッキ受け治具においては、第５の発明の作用に加えて、仕切板が第１の角筒体の長手方向以外の方向への摺動部材の移動を拘束して、高さ調整用ボルトが先端を中心として揺動することを防ぐという作用を有する。これにより、第２の角筒体は、第１の角筒体の長手方向への移動のみが許容され、当該方向への移動を円滑に行うことが可能になる。
【００２１】
第７の発明は、第１の発明乃至第６の発明のいずれかにおいて、第２の角筒体の側面に設けられた第３の雌ネジ部に螺合する固定用ボルトを備え、この固定用ボルトは、第２の角筒体の内部へ突出させた先端によって第１の角筒体の側面を押圧可能に第３の雌ネジ部に螺入されたことを特徴とするものである。
このような構造のデッキ受け治具においては、第１の発明乃至第６の発明のいずれかの作用に加えて、固定用ボルトを回動させ、第２の角筒体の内部へ突出させた固定用ボルトの先端によって第１の角筒体の側面を押圧すると、第１の角筒体に対して第２の角筒体が移動不能に固定されるという作用を有する。なお、第１の角筒体の側面に上記先端が接触しないように固定用ボルトを後退させた場合、第２の角筒体は第１の角筒体に対して再び移動可能な状態となる。
【００２２】
第８の発明は、第１の発明乃至第７の発明のいずれかにおいて、受け金具は、平面視矩形状をなす平坦部と、この平坦部の一端から直角に延設される直立部と、からなることを特徴とするものである。
このような構造のデッキ受け治具においては、第１の発明乃至第７の発明のいずれかの作用に加えて、水平片が水平となるようにアングル材の垂直片がＨ型鋼のウェブに固定された状態で受け金具の平坦部の上面に角材を載置した場合、受け金具は平坦部によって角材を水平に支持するとともに、その角材が水平面内で揺動しないように直立部によって保持するという作用を有する。
【発明の効果】
【００２３】
以上説明したように、第１の発明によれば、Ｈ型鋼への取り付けやＨ型鋼からの取り外しが容易であるため、コンクリートスラブの施工時において作業効率を高めることができる。また、コンクリートスラブが形成された段階で、アングル材をウェブから取り外して角材を撤去することにより、デッキプレートがコンクリートスラブから容易に分離可能になるという効果を奏する。
さらに、Ｈ型鋼に取り付けた場合に、第１の角筒体が横方向や上下方向へ揺動し難く、角材が受け金具によって安定した状態で支持されるため、デッキプレートを用いた型枠の設置作業を短時間で効率よく行うことができる。
加えて、第１の角筒体の長手方向に沿って第２の角筒体をスライドさせることによりＨ型鋼のウェブから受け金具までの距離を調節できるため、本発明のデッキ受け治具は、フランジの長さが異なる複数種類のＨ型鋼に対しても共通して使用することが可能である。
【００２４】
第２の発明では、第１の発明の効果のうち、フランジの長さが異なる複数種類のＨ型鋼に対しても共通して使用できるという効果は発揮されないものの、コンクリートスラブが形成された時点で第１の角筒体に対して第２の角筒体を下方へ移動させることにより角材が受け金具ごと下降するため、コンクリートスラブからデッキプレートを容易に分離して回収できるという効果を奏する。
【００２５】
第３の発明によれば、第２の角筒体が第１の角筒体の長手方向に沿って移動可能な構造であることから、第２の発明の効果に加えて、第１の角筒体に対してその長手方向へ第２の角筒体をスライドさせるようにして、Ｈ型鋼のウェブから受け金具までの距離を調節することにより、フランジの長さが異なる複数種類のＨ型鋼に対しても共通して使用できるという第１の発明と同様の効果を奏する。
【００２６】
第４の発明では、第１の発明の効果のうち、フランジの長さが異なる複数種類のＨ型鋼に対しても共通して使用できるという効果は発揮されないものの、コンクリートスラブが形成された時点で第１の角筒体に対して第２の角筒体を下方へ移動させることにより角材が受け金具ごと下降するため、コンクリートスラブからデッキプレートを容易に分離して回収できるという第２の発明と同様の効果を奏する。
【００２７】
第５の発明では、第２の角筒体が第１の角筒体の長手方向に沿って移動可能な構造であることから、第４の発明の効果に加えて、第１の角筒体に対してその長手方向へ第２の角筒体をスライドさせるようにして、Ｈ型鋼のウェブから受け金具までの距離を調節することにより、フランジの長さが異なる複数種類のＨ型鋼に対しても共通して使用できるという第１の発明と同様の効果を奏する。
【００２８】
第６の発明では、仕切板によって摺動部材の移動が第１の角筒体の長手方向のみに制限され、第２の角筒体を第１の角筒体の長手方向に沿ってスライドさせる際に高さ調整用ボルトが先端を中心として揺動し難いため、第５の発明の効果に加え、第２の角筒体を移動させて受け金具上に載置された角材の水平方向に対する位置の調整作業を安全に短時間で効率よく行うことができるという効果を奏する。
【００２９】
第７の発明では、第２の角筒体の内部へ突出させた固定用ボルトの先端によって第１の角筒体の側面を押圧することで、第１の角筒体に対して第２の角筒体が移動不能に固定されることから、第１の発明乃至第６の発明のいずれかの効果に加え、第１の角筒体の長手方向と平行な方向若しくは直交する方向へ第２の角筒体を移動させた場合、固定用ボルトを操作して、その先端で第１の角筒体の側面を押圧すれば、第１の角筒体に対する第２の角筒体の位置関係を確実に保持することができるという効果を奏する。
【００３０】
第８の発明によれば、アングル材の水平片が水平となるように垂直片がＨ型鋼のウェブに固定された時点で、受け金具の平坦部が既に水平な状態となっているため、第１の発明乃至第７の発明のいずれかの効果に加えて、角材の設置作業を効率良く行うことができるという効果を奏する。また、受け金具を第２の角筒体とともに上下方向へ移動させる際に、角材が水平面内で揺動するおそれがないため、当該作業を安全に効率良く行うことができる。
【図面の簡単な説明】
【００３１】
【図１】（ａ）及び（ｂ）は本発明の実施の形態に係るデッキ受け治具の実施例１の側面図及び正面図である。
【図２】（ａ）及び（ｂ）は図１（ｂ）におけるＡ−Ａ線矢視断面図である。
【図３】実施例１のデッキ受け治具を用いてコンクリートスラブを施工する際の作業手順を示したフローチャートである。
【図４】（ａ）及び（ｂ）は実施例１のデッキ受け治具がＨ型鋼に取り付けられた状態を示す側面図である。
【図５】（ａ）及び（ｂ）は実施例１のデッキ受け治具がＨ型鋼に取り付けられた状態を示す側面図である。
【図６】（ａ）は本発明の実施の形態に係るデッキ受け治具の実施例２の正面図であり、（ｂ）は同図（ａ）におけるＢ−Ｂ線矢視断面図である。
【図７】（ａ）は本発明の実施の形態に係るデッキ受け治具の実施例３の正面図であり、（ｂ）は同図（ａ）におけるＣ−Ｃ線矢視断面図である。
【図８】（ａ）は本発明の実施の形態に係るデッキ受け治具の実施例４の正面図であり、（ｂ）は同図（ａ）におけるＤ−Ｄ線矢視断面図である。
【図９】（ａ）はデッキプレートの側面図であり、（ｂ）及び（ｃ）はそれぞれ同図（ａ）に示したデッキプレートを構成する２種類の型枠部材の平面図である。
【発明を実施するための形態】
【００３２】
本発明のデッキ受け治具について、図１乃至図８を参照しながら具体的に説明する。なお、本発明のデッキプレート支持具は、上下のフランジが水平になるように設置されたＨ型鋼に対し、上下のフランジを繋ぐ部分（ウェブ）にボルトを用いて固定された状態で使用されるものである。したがって、以下の説明では、デッキ受け治具が実際に使用される際に設置された状態を想定して、「上面」や「下面」という表現を用いている。
【実施例１】
【００３３】
図１（ａ）は本発明のデッキ受け治具がＨ型鋼に取り付けられた状態の一例を示す側面図であり、図１（ｂ）はそのデッキ受け治具の正面図である。また、図２（ａ）及び図２（ｂ）は図１（ｂ）におけるＡ−Ａ線矢視断面図である。なお、図１（ｂ）ではＨ型鋼の図示を省略している。
図１及び図２に示すように、本発明のデッキ受け治具１ａは、Ｈ型鋼５８のウェブ５８ａに対してボルトとナットからなる締結具１１を用いて固定されるアングル材２と、端部３ａにアングル材２が取り付けられた長尺の角筒体３と、上面３ｃと上面４ａが平行となるように角筒体３に外挿された角筒体４と、この角筒体４の上面４ａに取り付けられた受け金具５と、を備えている。
また、角筒体３の下面３ｄと角筒体４の下面４ｂの間には、所定の高さを有する空間が形成されている。
【００３４】
アングル材２は、締結具１１を取り付けるための一対の取付用ボルト穴６ａ，６ａを有し、角筒体３の長手方向と直交するように端部３ａに接合された垂直片６と、角筒体３の上面３ｃに下面７ａが接合された水平片７からなる。なお、取付用ボルト孔６ａ，６ａは、垂直片６の長手方向へ沿って細長く形成された長穴状をなしており、水平片７から等距離の位置にそれぞれ設けられている。そして、アングル材２の両端には、平面視直角三角形状をなす一対の補強板１３，１３が垂直片６と水平片７に対してそれぞれ直交するように設けられている。
また、角筒体３の内部は、下面３ｄと平行に設置される仕切板８によって、２つの空間に仕切られており、そのうち、下面３ｄと仕切板８の間には、角筒体３の長手方向へ摺動可能に板状の摺動部材９が設置されている。
【００３５】
角筒体４の下面４ｂには、高さ調整用ボルト１０ａに螺合する雌ネジ部４ｄ（図２参照）が設けられており、角筒体３には、雌ネジ部４ｄに螺入された高さ調整用ボルト１０ａの先端をその内部へ配置可能に、端部３ｂから長手方向に沿って所定の長さの切欠３ｆ（図２参照）が設けられている。なお、切欠３ｆは、高さ調性用ボルト１０ａの頭部及び摺動部材９よりも幅が狭く、かつ、高さ調整用ボルト１０ａの外径よりも幅が広くなるように形成されている。
また、角筒体４は、側面４ｃに雌ネジ部（図示せず）が設けられており、この雌ネジ部には、角筒体４の内部へ突出させた先端によって、角筒体３の側面３ｅを押圧可能に固定用ボルト１０ｂが螺入されている。
【００３６】
摺動部材９には、高さ調整用ボルト１０ａの先端を挿通可能に段付き穴９ａ（図２参照）が設けられており、この段付き穴９ａへ回動可能な状態で挿通された高さ調整用ボルト１０ａの先端には抜け止め具１２（図２参照）が取り付けられている。
すなわち、高さ調整用ボルト１０ａは摺動部材９に対し、回動可能かつ離脱不能に連結されている。この場合、摺動部材９は抜け止め具１２とともに、高さ調整用ボルト１０ａの抜け止め部材として機能する。
【００３７】
受け金具５は、平面視矩形状をなす平坦部５ａと、この平坦部５ａの一端から直角に延設される直立部５ｂからなり、矩形状の平板材が一端を直角に折り曲げられたような形状をしている。
また、平坦部５ａは、直立部５ｂが角筒体４の長手方向と直交するように上面４ａに対して溶接されており、直立部５ｂは角筒体３の端部３ｂに近い側へ配置されている。
【００３８】
このような構造のデッキ受け治具１ａにおいては、ボルトを用いてアングル材２がウェブ５８ａに固定される構造であるため、Ｈ型鋼５８に対する取り付けや取り外しが容易である。
また、アングル材２をＨ型鋼５８へ取り付ける際に、水平片７が水平となるように垂直片６をウェブ５８ａに固定した場合、角筒体３の上面３ｃと角筒体４の上面４ａがいずれも水平となり、角筒体４の上面４ａに下面が接合された受け金具５の平坦部５ａの上面が水平になるという作用を有する。
【００３９】
すなわち、デッキ受け治具１ａは、受け金具５の平坦部５ａの上面に載置された角材を介してデッキプレートを支持可能な構造であって、受け金具５が平坦部５ａによって角材を水平に支持するとともに、直立部５ｂによって角材の水平面内での揺動を抑えるという作用を有している。
したがって、コンクリートスラブの施工時にデッキ受け治具１ａを用いると、角材の設置作業を効率良く行うことができる。そして、デッキ受け治具１ａにおいては、受け金具５を角筒体４とともに上下方向へ移動させる際に、角材が水平面内で揺動するおそれがないため、当該作業を安全に効率良く行うことが可能である。
【００４０】
また、デッキ受け治具１ａは、角筒体３の長手方向に沿って角筒体４をスライドさせた場合、平坦部５ａの上面の水平状態が維持されたまま、受け金具５が角筒体３の長手方向へ移動するという作用を有している。
すなわち、デッキ受け治具１ａでは、角筒体３の長手方向に沿って角筒体４をスライドさせることによりＨ型鋼５８のウェブ５８ａから受け金具５までの距離を調節することが可能である。したがって、デッキ受け治具１ａは、フランジの長さが異なる複数種類のＨ型鋼５８に対しても共通して使用できるという独自の効果を有している。
【００４１】
さらに、デッキ受け治具１ａにおいては、仕切板８が角筒体３の長手方向以外の方向への摺動部材９の移動を拘束して、高さ調性用ボルト１０ａが先端を中心として揺動することを防ぐという作用を有している。
すなわち、デッキ受け治具１ａでは、仕切板８によって摺動部材９の移動が角筒体３の長手方向のみに制限されており、角筒体４を角筒体３の長手方向に沿ってスライドさせる際に高さ調整用ボルト１０ａが先端を中心として揺動し難いため、角筒体４を移動させて受け金具５の上に載置された角材の水平方向に対する位置を調整する作業を安全に短時間で効率よく行うことが可能となっている。
【００４２】
また、デッキ受け治具１ａでは、高さ調整用ボルト１０ａを回動させることにより、受け金具５が角筒体４とともに上下方向へ移動するという作用を有する。したがって、コンクリートスラブの施工にデッキ受け治具１ａを用いた場合、コンクリートスラブが形成された時点で角筒体３に対して角筒体４を下方へ移動させることにより角材が受け金具５ごと下降するため、コンクリートスラブからデッキプレートを容易に分離して回収することが可能である。
さらに、デッキ受け治具１ａでは、固定用ボルト１０ｂを回動させ、角筒体４の内部へ突出させた固定用ボルト１０ｂの先端によって角筒体３の側面３ｅを押圧すると、角筒体３に対して角筒体４が移動不能に固定されるという作用を有している。したがって、角筒体３の長手方向と平行な方向又は直交する方向へ角筒体４を移動させた場合、固定用ボルト１０ｂを操作して、その先端で角筒体３の側面３ｅを押圧すれば、角筒体３に対する角筒体４の位置関係を確実に保持することができる。
なお、角筒体３の側面３ｅに上記先端が接触しないように固定用ボルト１０ｂを後退させると、角筒体４は角筒体３に対して再び移動可能な状態となる。
【００４３】
そして、デッキ受け治具１ａでは、Ｈ型鋼５８に取り付ける際に、アングル材２が角筒体３の横方向や上下方向への揺動を抑える補強部材として機能するため、角材が受け金具５によって安定した状態で支持される。したがって、以下に説明するように、デッキプレートを用いた型枠の設置作業にデッキ受け治具１ａを用いることによれば、当該作業を短時間で効率よく行うことが可能である。
【００４４】
デッキ受け治具１ａを用いたコンクリートスラブの施工方法について、図４及び図５を適宜参照しながら図３を用いて説明する。
図３はデッキ受け治具１ａを用いてコンクリートスラブを施工する際の作業手順の一例を示したフローチャートである。また、図４及び図５は、その作業手順を説明するために、Ｈ型鋼に対するデッキ受け治具１ａの取り付け状態を拡大して示した側面図である。
なお、図５（ａ）や図５（ｂ）における５２（５３）や５６ｂ（５７ｂ）等の表記はデッキ受け治具１ａによって支持された角材の上面に型枠部材５２，５３のいずれもが同様の状態で載置され得ることを示している。また、図１、図２及び図９に示した構成要素については同一の符号を付して、その説明を省略する。
【００４５】
まず、ステップＳ１では、Ｈ型鋼５８のウェブ５８ａにフランジ５８ｂと平行に設けられた一対のボルト穴（図示せず）に対して、取付用ボルト穴６ａ，６ａが連通するように垂直片６を配置した後、締結具１１，１１を用いて、アングル材２をウェブ５８ａに固定する（図４（ａ）参照）。
次に、ステップＳ２では、受け金具５に対し、側面５９ｂを直立部５ｂに当接させるようにして角材５９を平坦部５ａの上面に設置する（図４（ｂ）参照）。
ステップＳ３では、固定用ボルト１０ｂを緩めて、角筒体４を角筒体３の長手方向へ沿って所定の位置まで移動させる。さらに、高さ調整用ボルト１０ａを所定の方向へ回動し、受け金具５に設置された角材５９の上面５９ａが所定の高さになるまで角筒体４を上下方向へ移動させて、その高さを調整した後、固定用ボルト１０ｂを締めて角筒体４を角筒体３に固定する。
なお、受け金具５に角材５９を設置する前に、受け金具５に角材５９が設置された状態を想定して、予め角筒体４の高さを調整したり、角筒体３の長手方向に沿って角筒体４を移動させたりするようにしても良い。すなわち、ステップＳ２とステップＳ３は、必ずしも図３に示した順序に限定されるものではなく、その順序は適宜変更可能である。
【００４６】
ステップＳ４では、型枠部材５２，５３をスライドさせてデッキプレート５１の全長を調節した後、角材５９の上面５９ａにデッキプレート５１の扁平端５６ｂ，５７ｂを載置する（図５（ａ）参照）。
ステップＳ５では、予め練り混ぜたコンクリートをＨ型鋼５８のフランジ５８ｂとデッキプレート５１の上面に流し込む。これにより、コンクリートの打設作業が完了し、そのコンクリートが固化することで、コンクリートスラブ６０（図５（ｂ）参照）が形成される。
【００４７】
ステップＳ６では、固定用ボルト１０ｂを緩めた後、高さ調整用ボルト１０ａを所定の方向へ回動し、図５（ｂ）に示した状態となるまで角筒体４を下降させる。そして、受け金具５から角材５９を撤去すると、デッキプレート５１は下方への移動に対する拘束が解除されるため、コンクリートスラブ６０から容易に分離可能となる。
さらに、ステップＳ７では、締結具１１を緩めて、これをウェブ５８ａのボルト穴と垂直片６の取付用ボルト穴６ａから抜き取る。その後、デッキ受け治具１ａをＨ型鋼５８から撤去する。
最後に、ステップＳ８において、デッキプレート５１をコンクリートスラブ６０から撤去する。これにより、デッキ受け治具１ａを用いたコンクリートスラブの施工作業が完了する。
【００４８】
本実施例では、切欠３ｆが端部３ｂから角筒体３の長手方向に沿って設けられているが、本発明のデッキ受け治具は、このような構造に限定されるものではない。例えば、端部３ｂの代わりに端部３ａから切欠３ｆが設けられていても良い。また、切欠３ｆの代わりに、角筒体３の長手方向に細長く形成された長穴や端部３ａから端部３ｂに達するように設けられた所定の幅の隙間を備えた構造とすることもできる。
【００４９】
このように、切欠３ｆの代わりに長穴や隙間が設けられた構造であっても、それらはいずれも切欠３ｆと同様に、抜け止め部材を縁部に係止させつつ、高さ調整用ボルト１０ａを角筒体３の長手方向へ案内可能に設けられたガイド用隙間を構成するため、切欠３ｆを設けた場合と同様の作用・効果を有する。
また、アングル材２と角筒体３は、鋼材によって個別に成形された後、溶接等によって接合されたものであっても良いし、鋳造によって一体品として成形されたものであっても良い。
【実施例２】
【００５０】
図６（ａ）は実施例１とは別の構造を備えた本発明のデッキ受け治具の一例を示す正面図であり、図６（ｂ）は図６（ａ）におけるＢ−Ｂ線矢視断面図である。なお、図１及び図２に示した構成要素については、同一の符号を付してその説明を省略する。
図６（ａ）及び図６（ｂ）に示すように、デッキ受け治具１ｂは、実施例１のデッキ受け治具１ａにおいて、仕切板８を省略した構造となっている。
このような構造のデッキ受け治具１ｂにおいては、摺動部材９の移動が仕切板８によって角筒体３の長手方向のみに制限されるという作用やそれに基づく効果については発揮されないものの、それ以外の実施例１において説明した作用及び効果についてはデッキ受け治具１ａの場合と同様に発揮される。
なお、デッキ受け治具１ｂでは、デッキ受け治具１ａよりも角筒体３が簡単な構造となるため、デッキ受け治具１ａよりも製造コストが削減されるという効果が期待できる。
【実施例３】
【００５１】
図７（ａ）は実施例１や実施例２とは別の構造を備えた本発明のデッキ受け治具の一例を示す正面図であり、図７（ｂ）は図７（ａ）におけるＣ−Ｃ線矢視断面図である。なお、図６に示した構成要素については、同一の符号を付してその説明を省略する。
図７（ａ）及び図７（ｂ）に示すように、デッキ受け治具１ｃは、実施例２のデッキ受け治具１ｂにおいて、固定用ボルト１０ｂが省略されるとともに、角筒体３の下面３ｄに対し、切欠３ｆの代わりに、高さ調整用ボルト１０ａが回動自在に挿通されるボルト穴３ｇが雌ネジ部４ｄに連通するように設けられた構造となっている。
このような構造のデッキ受け治具１ｃにおいては、角筒体３に対して角筒体４を上下方向へ移動させた場合に、固定用ボルト１０ｂを操作して、その先端で角筒体３の側面３ｅを押圧することにより、角筒体３に対する角筒体４の位置関係を確実に保持できるという効果や角筒体３の長手方向に沿って角筒体４をスライドさせてＨ型鋼５８のウェブ５８ａから受け金具５までの距離を調節することで、フランジの長さが異なるＨ型鋼５８に対しても共通して使用できるという効果については発揮されないものの、それ以外の実施例２において説明した作用と効果についてはデッキ受け治具１ｂの場合と同様に発揮される。なお、デッキ受け治具１ｂでは、デッキ受け治具１ａよりも角筒体３，４が簡単な構造となるため、さらなる製造コストの削減が期待できる。
【実施例４】
【００５２】
図８（ａ）は実施例１乃至実施例３とは別の構造を備えた本発明のデッキ受け治具の一例を示す正面図であり、図８（ｂ）は図８（ａ）におけるＤ−Ｄ線矢視断面図である。なお、図７に示した構成要素については、同一の符号を付してその説明を省略する。
図８（ａ）及び図８（ｂ）に示すように、デッキ受け治具１ｄは、実施例３のデッキ受け治具１ｃにおいて、摺動部材９が省略されるとともに、角筒体３の下面３ｄにボルト穴３ｇの代わりに高さ調整用ボルト１０ａが螺入される雌ネジ部３ｈが設けられ、角筒体４の下面４ｂに雌ネジ部４ｄの代わりに、雌ネジ部３ｈに螺入された高さ調整用ボルト１０ａの根本部分をその内部へ配置可能に、端部４ｅから角筒体４の長手方向に沿って所定の長さの切欠４ｇが設けられた構造となっている。
なお、切欠４ｇは、高さ調整用ボルト１０ａの外径よりも幅が広く、かつ、高さ調整用ボルト１０ａの頭部を係止可能な幅を有するように形成されている。
このような構造のデッキ受け治具１ｄでは、デッキ受け治具１ｃの作用及び効果に加えて、角筒体３の長手方向に沿って角筒体４をスライドさせてＨ型鋼５８のウェブ５８ａから受け金具５までの距離を調節することで、フランジの長さが異なるＨ型鋼５８に対しても共通して使用できるという効果を有している。
【００５３】
本実施例では、切欠４ｇが端部４ｅから角筒体４の長手方向に沿って設けられているが、本発明のデッキ受け治具は、このような構造に限定されるものではない。例えば、端部４ｅの代わりに端部４ｆから切欠４ｇが設けられていても良い。また、切欠４ｇの代わりに、雌ネジ部３ｈに連通するように設けられたボルト穴や角筒体４の長手方向に細長く形成された長穴や端部４ｅから端部４ｆに達するように設けられた所定の幅の隙間を備えた構造とすることもできる。
なお、切欠４ｇの代わりにボルト穴や長穴や隙間が設けられた構造であっても、それらはいずれも切欠４ｇと同様に、抜け止め部材を縁部に係止させつつ、高さ調整用ボルト１０ａを角筒体４の長手方向へ案内可能に設けられたガイド用隙間を構成するため、切欠４ｇを設けた場合と同様の作用・効果を有する。
【００５４】
さらに、デッキ受け治具１ａ〜１ｄでは、高さ調性用ボルト１０ａを回動させることにより角筒体４が上下方向へ移動可能となっているが、このような構造に限らず、例えば、角筒体４が上下方向へ移動しない構造とすることもできる。
この場合、コンクリートスラブが形成された段階でアングル材２をウェブ５８ａから取り外せば、受け金具５の上面に載置された角材の撤去が可能となる。したがって、このような構造であっても、デッキプレートをコンクリートスラブから容易に分離して回収できるという効果は発揮される。
【産業上の利用可能性】
【００５５】
請求項１乃至請求項８に記載された発明は、Ｈ型鋼を構造材料とする多層建築物の床や天井等にコンクリートスラブを施工する場合に適用可能である。
【符号の説明】
【００５６】
１ａ〜１ｄ…デッキ受け治具  ２…アングル材  ３…角筒体  ３ａ，３ｂ…端部  ３ｃ…上面  ３ｄ…下面  ３ｅ…側面  ３ｆ…切欠  ３ｇ…ボルト穴  ３ｈ…雌ネジ部  ４…角筒体  ４ａ…上面  ４ｂ…下面  ４ｃ…側面  ４ｄ…雌ネジ部  ４ｅ，４ｆ…端部  ４ｇ…切欠  ５…受け金具  ５ａ…平坦部  ５ｂ…直立部  ６…垂直片  ６ａ…取付用ボルト穴  ７…水平片  ７ａ…下面  ８…仕切板  ９…摺動部材  ９ａ…段付き穴  １０ａ…高さ調整用ボルト  １０ｂ…固定用ボルト  １１…締結具  １２…抜け止め具  １３…補強板  ５１…デッキプレート  ５２，５３…型枠部材  ５４，５５…平板  ５４ａ，５５ａ…上面  ５４ｂ，５５ｂ…下面  ５６，５７…角パイプ  ５６ａ，５７ａ…開口端  ５６ｂ，５７ｂ…扁平端  ５８…Ｈ型鋼  ５８ａ…ウェブ  ５８ｂ…フランジ  ５９…角材  ５９ａ…上面  ５９ｂ…側面  ６０…コンクリートスラブ
【図１】
0006348540.tif 000002
【図２】
0006348540.tif 000003
【図３】
0006348540.tif 000004
【図４】
0006348540.tif 000005
【図５】
0006348540.tif 000006
【図６】
0006348540.tif 000007
【図７】
0006348540.tif 000008
【図８】
0006348540.tif 000009
【図９】
0006348540.tif 000010